(57)【要約】  本発明は、軸（２）と、回転陽極を取り付け可能なフランジ要素（３）とを備えた、Ｘ線管の回転陽極のための軸受けユニット（１）に関する。軸受ユニット（１）はＸ線管内部の繰り抜き部に挿入可能であり、そこに固定可能である。軸（２）は第１の軸受要素（４）と他の軸受要素（５）とを介して受容され、第１の軸受要素（４）は、軸（２）上に取り付けられる内側走行軌道（６）と、別個の外レース（７）とから構成されている。第２の軸受要素（５）は、軸（２）上に取り付けられる、内レース（８）と外レース（９）とを備えた玉軸受から構成されている。第１および第２の軸受要素（４，５）の外レース（７，８）の間に間隔要素（１０）が取り付けられている。
2009532833.tif 000002
【特許請求の範囲】
【請求項１】
軸（２）と、回転陽極を取り付け可能なフランジ要素（３）とを備えた、Ｘ線管の回転陽極のための軸受けユニット（１）であって、
−軸受ユニット（１）がＸ線管内部の繰り抜き部に挿入可能であり、そこに固定可能であり、
−軸（２）が第１の軸受要素（４）と他の軸受要素（５）とを介して受容され、
−第１の軸受要素（４）が、軸（２）上に取り付けられる内側走行軌道（６）と、別個の外レース（７）とから構成され、
−第２の軸受要素（５）が、軸（２）上に取り付けられる、内レース（８）と外レース（９）とを備えた玉軸受から構成され、
−第１および第２の軸受要素（４，５）の外レース（７，８）の間に間隔要素（１０）が取り付けられている、
軸受ユニット。
【請求項２】
軸（２）上に取り付けられた内側走行軌道（６）が片側に肩部（１１）を有している、請求項１に記載の軸受ユニット。
【請求項３】
玉軸受がその内レース（８）によって軸（２）の段部（１２）に当接している、請求項１または２に記載の軸受ユニット。
【請求項４】
玉軸受がかしめ要素（１３）を介して軸（２）に固定されている、請求項１から３までのいずれか一つに記載の軸受ユニット。
【請求項５】
外レース（７）が片側に肩部を備えた軸受として形成されている、請求項１から４までのいずれか一つに記載の軸受ユニット。
【請求項６】
外レース（９）が片側に肩部を備えた軸受として形成されている、請求項１から５までのいずれか一つに記載の軸受ユニット。
【請求項７】
第１の軸受要素（４）が溝付き玉軸受として形成されている、請求項１から６までのいずれか一つに記載の軸受ユニット。
【請求項８】
第１および第２の軸受要素（４，５）の外レース（７，８）の間に少なくとも２つの間隔要素（１０）が設けられている、請求項１から７までのいずれか一つに記載の軸受ユニット。
【発明の詳細な説明】
【技術分野】
【０００１】
本発明は、Ｘ線管の回転陽極のための軸受けユニットに関するものである。
【背景技術】
【０００２】
特許文献１のたとえば図１から、Ｘ線管の回転陽極のための軸受けユニットが知られており、この場合回転陽極は加硫処理したガラス球（一部のみ図示されている）のなかに収納されている。
【０００３】
【特許文献１】独国特許出願公開第３０４１５５８Ａ１号明細書
【発明の開示】
【発明が解決しようとする課題】
【０００４】
本発明の課題は、取付けが特に簡単な、Ｘ線管の回転陽極のための軸受けユニットを提供することである。
【課題を解決するための手段】
【０００５】
この課題は、請求項１の構成を備えた軸受ユニットによって解決される。有利な構成は従属項に記載されている。
【０００６】
請求項１の構成を備えた本発明による軸受ユニットはコンパクトに構成され、少数の部品から構成されている。これらの部品は予め組み立てることができ、予め組み立てた軸受ユニットをＸ線管の対応する繰り抜き部に挿入して簡単に取り付けることができる。
【０００７】
有利な実施態様によれば、内側走行軌道を備えた軸は片側に肩部を有し、その結果玉軸受の別個の内レースは必要としない。この場合、片側の肩部は発生するスラスト力をも吸収することができる。
【０００８】
他の有利な実施態様によれば、玉軸受がその内レースによって軸の段部に当接し、したがって取付け簡単に軸線方向に固定されている。
【０００９】
先細りになっている特に形状拘束的なかしめ要素を介して玉軸受を固定することにより、軸受要素を軸上に取り付けた後、玉軸受のロックを行なうことができ、よって軸受ユニット全体が簡単に固定される。
【００１０】
有利な実施態様によれば、第１の軸受要素の外レースは片側に肩部を備えた(einschultrig)軸受として形成されていてよい。この場合、肩部は特にフランジとは逆の側に設けられる。これによって軸受ユニットの簡単な取付けが改善される。
【００１１】
他の有利な実施態様によれば、玉軸受を取り付ける際に取付けを容易にするため、他の軸受要素の外レースも片側に肩部を備えた軸受として形成されていてよい。
【００１２】
特に、両軸受要素の外レースとも片側に肩部を備えた軸受によって形成されていてよい。この場合、肩部はそれぞれ間隔要素側の内面に設けられる。
【００１３】
第１の軸受要素を溝付き玉軸受として実施することにより、第１の軸受要素がある程度スラスト力をも吸収することができるようになる。
【００１４】
他の有利な実施態様によれば、第１および第２の軸受要素の外レースの間に少なくとも２つの間隔要素を設けてもよい。これにより、たとえば第１の（たとえばより大きな）、標準寸法で製造された間隔要素を使用することができ、さらに、１個または複数個の、正確な寸法で製造された間隔要素を、両軸受要素の両外レース間の所望の間隔を維持するために使用することができる。
【発明を実施するための最良の形態】
【００１５】
次に、本発明の実施形態を添付の図面を用いて詳細に説明する。
図示した軸受ユニット１はフランジ要素３を備えた軸２を有し、フランジ要素３には（たとえば前記特許文献１に記載のような）回転陽極を取り付けることができる。
【００１６】
軸受ユニット１全体は、該軸受ユニットのために設けられるＸ線管の繰り抜き部（図示せず）に挿入して通常の態様で（たとえばねじ止めにより）固定することができる。
【００１７】
軸受ユニット１は、軸２を受容するため、第１の軸受要素４と他の軸受要素５とを有し、第１の軸受要素４は外レース７を有し、その内側走行軌道６は軸２上にある。
【００１８】
第２の軸受要素５は、内レース８と外レース９とを有する、軸２上に取り付けられた玉軸受によって形成されている。この場合、外レース７と９は間隔要素１０を介して寸法に関し互いに正確な間隔をもって配置されている。
【００１９】
すでに述べたように、複数個の間隔要素１０を設けてもよい（図示せず）。
【００２０】
軸２の内側走行軌道６は片側に肩部１１を有している。玉軸受はその内レース８が軸２の段部１２に当接している。
【００２１】
かしめ要素１３を取り付けることにより、組み立てた軸受ユニット１を固定する。
【図面の簡単な説明】
【００２２】
【図１】本発明の１実施形態の図である。
【符号の説明】
【００２３】
１                  軸受ユニット
２                  軸
３                  フランジ要素
４                  第１の軸受要素
５                  第２の軸受要素
６                  内側走行軌道
７                  外レース
８                  内レース
９                  外レース
１０                間隔要素
１１                肩部
１２                段部
１３                かしめ要素
【図１】
2009532833.tif 000003
【国際調査報告】
2009532833.tif 000004
2009532833.tif 000005
2009532833.tif 000006
2009532833.tif 000007
2009532833.tif 000008
2009532833.tif 000009